(57)【要約】【課題】パイプ製物置棚において、物置台を反転して使用することを可能にする。【解決手段】複数の支持パイプ１と、係止用スリーブ２と、物置台３を具備し、前記係止用スリーブ２は、外面が傾斜する二つの円弧状片２１，２２を互いに係止して形成され、上端の外径が下端の外径よりも小さい円錐状である。前記円弧状片の内壁には、支持パイプに設けた環状溝に係合する凸縁がある。前記物置台３は、その四隅に、両端が上下に開放された結合具３１を有し、この結合具の内壁の適当な箇所には、内径が開口端の内径より小さい直径縮小部３１０があり、開口端から直径縮小部３１０までは内部が両端よりも狭いテーパー状を呈する二つの当接部３１１，３１２に形成され、前記当接部の何れか一つを係止用スリーブ２に嵌めて物置台を支持パイプに固定する。【選択図】図１
0003109691.tif 000002
【実用新案登録請求の範囲】
【請求項１】
複数の支持パイプと、複数の係止用スリーブと、複数の物置台を具備するパイプ製物置棚用結合構造において、前記係止用スリーブは、外面が傾斜する二つの円弧状片を互いに係合することにより上端の外径が下端の外径よりも小さく、前記支持パイプの外周に結合される円錐状に形成され、前記物置台は、その四隅に両端が開口された結合具を有し、前記結合具の内壁には内径が開口端より小さい直径縮小部を設けてあり、結合具の二つの開口端から直径縮小部までは内部が両端よりも狭いテーパー状を呈する二つの当接部に形成され、前記当接部の何れか一つを係止用スリーブに嵌めて物置台を支持パイプに固定することを特徴とするパイプ製物置棚用結合構造。
【請求項２】
前記支持パイプの周面には多数の環状溝が等間隔に設けられ、前記円弧状片の内壁には、前記環状溝に係合する凸縁が設けられている請求項１に記載のパイプ製物置棚用結合構造。
【請求項３】
二つの前記円弧状片の底縁の外周に環状突起をそれぞれ設けたことを特徴とする請求項１または２に記載のパイプ製物置棚用結合構造。
【考案の詳細な説明】
【技術分野】
【０００１】
本考案はパイプ製物置棚用結合構造に係り、特に物置台の四つの隅に結合具を固定し、支持パイプの外周に結合した円錐状の係止用スリーブと上記結合具を嵌合することにより物置棚を構成するパイプ製物置棚用結合構造に関するものである。
【背景技術】
【０００２】
従来のパイプ製物置棚は、図５に示すように、複数の支持パイプ１ａと、複数の係止用スリーブ２ａと、複数の物置台３ａを具備している。前記支持パイプ１ａには多数の環状溝１１ａが等距離に設けてあり、前記係止用スリーブ２ａは、二つの円弧状片２１ａ，２２ａで構成され、この円弧状片を組み合わせることにより、上端の外径が下端の外径よりも小さい円錐体になる。前記円弧状片２１ａ，２２ａの内壁の適当な箇所には、支持パイプ１ａに設けた上記環状溝１１ａに係止するよう凸縁２１１ａ，２２１ａをそれぞれ設けてあり、これにより、前記係止用スリーブ２ａが支持パイプ１ａの外周に滑脱しないよう係合される。前記物置台３ａの四つの隅には、上端の内径が下端の内径よりも小さくなるよう内壁がテーパー状を呈する結合具３１ａを固定してある。物置台の二つの隣接する結合具３１ａの間には保護用欄干３２ａを設けてあり、底面には多数の鋼製ワイヤで作られ品物を載置するための受け面３３ａが設けられている。そして、結合具３１ａのテーパー状の内壁を円錐状の係止用スリーブ２ａに嵌合することにより、物置台３ａが支持パイプ１ａと強固に結合される。
【考案の開示】
【考案が解決しようとする課題】
【０００３】
上記のように、物置台３ａの上面には保護用欄干３２ａが設けられ、この保護用欄干は、品物の落下を防止するためには必要であるが、より広い平面でもっと大きい品物を載置するためには、邪魔になる。大きい品物を載置するには、物置台３ａを反転させて使用すればよいが、従来の結合具３１ａの構造では、物置台３ａを反転すると、上記結合具は係止用スリーブ２ａから抜け出してしまい、物置台を固定することができない。
【０００４】
本考案の解決課題は、上記のようなパイプ製物置棚において、物置台を反転して使用することができるようにしたパイプ製物置棚用結合構造を提供することである。
【課題を解決するための手段】
【０００５】
上記課題を解決するため、本考案によれば、複数の支持パイプと、複数の係止用スリーブと、複数の物置台を具備するパイプ製物置棚用結合構造において、前記支持パイプは、その周面に多数の環状溝を等距離に有し、前記係止用スリーブは、外面が傾斜した二つの円弧状片を互いに係合することにより上端の外径が下端の外径よりも小さい円錐状に形成され、前記円弧状片の内壁の適当な箇所には支持パイプに設けた環状溝に係合する凸縁がそれぞれ設けられ、前記係止用スリーブは支持パイプの外周に結合される。前記物置台は、その四隅に両端が開口された結合具を有し、前記結合具の内壁の適当な箇所には内径が開口端より小さい直径縮小部を設けてあり、結合具の二つの開口端から直径縮小部までは内部が両端よりも狭いテーパー状を呈する二つの当接部に形成され、前記当接部の何れか一つを係止用スリーブに嵌めて物置台を支持パイプに固定することを特徴とするパイプ製物置棚用結合構造が提供される。
【０００６】
また、本考案によれば、二つの前記円弧状片の底縁の外周に環状突起をそれぞれ設けたことを特徴とする請求項１に記載のパイプ製物置棚用結合構造が提供される。
【考案の効果】
【０００７】
本考案に係るパイプ製物置棚用結合構造によれば、結合具は、二つの開口端に通じる二つのテーパー状の当接部を有するので、物置台を反転しても確実に係止用スリーブに係合でき、いずれかの態様でも使用することが可能になる。
【考案を実施するための最良の形態】
【０００８】
以下、添付図面を参照して本考案の好適な実施の形態を詳細に説明する。
【０００９】
まず、図４を参照する。本考案に係るパイプ製物置棚は、複数の支持パイプ１と、複数の係止用スリーブ２と、複数の物置台３とから構成され、また、図１と図２に示すように、前記支持パイプ１には、その周面に多数の環状溝１１が等距離に設けられている。前記係止用スリーブ２は、外面が傾斜する二つの円弧状片２１，２２を有し、該円弧状片を互いに係止して上端の外径が下端の外径よりも小さい円錐状に形成される。前記円弧状片２１，２２の内壁の適当な箇所には支持パイプ１に設けた上記環状溝１１に係合するための凸縁２１１，２２１がそれぞれ設けられ、前記係止用スリーブ２は支持パイプ１の外周に結合され、二つの前記円弧状片２１，２２の底縁の外周には環状突起２１２，２２２がそれぞれ設けられている。
【００１０】
前記物置台３は、その四つの隅に両端が上下に開放された結合具３１を有している。この結合具３１の内壁の適当な箇所、図においてはほぼ中間部に、内径を開口端より小さくした直径縮小部３１０を設けてあり、結合具３１の二つの開口端から直径縮小部までは内部が両端よりも狭いテーパー状を呈する二つの当接部３１１，３１２に形成されている。前記当接部３１１，３１２のテーパーは前記係止用スリーブ２の外周に嵌めた際、係止用スリーブの外周の円錐面に係合して固定することができる程度に形成される。なお、二つの隣接する結合具３１の間には保護用欄干３２を設けてあり、物置台３の底面には多数の鋼製ワイヤで作られ品物を載置するための受け面３３が設けられている。
【００１１】
図２に示す態様は、より広い平面でもっと大きい品物を載置するために保護用欄干３２を使用しない実施例であり、前記結合具３１は、当接部３１１が係止用スリーブ２に嵌合し、環状突起２１２，２２２の上に保持されている。この際、図に示すように保護用欄干３２が受け面３３の下に位置し、受け面３３の周辺は開放されているので、受け面３３の端縁から突出するような品物でも載置することができる。
【００１２】
図３に示す態様は、品物が落下することを防止するために保護用欄干３２を使用した実施例であり、図２に示す状態から物置台３を反転して使用する。すると、前記結合具３１は、当接部３１２が係止用スリーブ２に嵌合し、環状突起２１２，２２２の上に保持される。そうすると、保護用欄干３２が受け面３３の上に位置するから、品物が受け面３３の端縁から落下しないようにできる。
【００１３】
以上のように、特定の実施例を参照して本考案を説明したが、それらの実施例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１４】
【図１】本考案の主要な部材の分解斜視図である。
【図２】保護用欄干を使用しない場合の概略図である。
【図３】保護用欄干を使用した場合の概略図である。
【図４】本考案のパイプ製物置棚の斜視図である。
【図５】従来のパイプ製物置棚の結合部分の分解斜視図である。
【符号の説明】
【００１５】
１        支持パイプ                  １１      環状溝
２        係止用スリーブ              ２１      円弧状片
２１１    凸縁                        ２１２    環状突起
２２      円弧状片                    ２２１    凸縁
２２２    環状突起                    ３        物置台
３１      結合具                      ３１０    直径縮小部
３１１    当接部                      ３１２    当接部
３２      保護用欄干                  ３３      受け面
【図１】
0003109691.tif 000003
【図２】
0003109691.tif 000004
【図３】
0003109691.tif 000005
【図４】
0003109691.tif 000006
【図５】
0003109691.tif 000007